(57)【要約】【課題】ガス託送において契約者ガス要求量に対する市中導管への払出ガス量を、１時間単位や長期間単位で管理して偏差が少ないか又は無いようにする。【解決手段】契約者ガス要求量１を１時間単位で管理するときは、契約者ガス要求量の１時間積算量１０の信号１０ａと市中導管払出ガス量の１時間積算量１１の信号１１ａとを比較部１２で比較させる。契約者ガス要求量１に対し払出ガス量が少ないとか多過ぎるとかの差ａがあると、補正演算部１３で、１時間の残り時間に差ａを解消するに必要なガス量の瞬時量ｂを求めて、その補正信号１３ａを上記契約者ガス要求量の信号２に加算部９で加え、これを設定値として現在払出されているガス量の信号５ａと払出制御部３で対比させ、差に応じて市中導管４の流量調整弁８を調整することにより払出ガス量が調整される。【選択図】        図１
2004178478.tif 000002
【特許請求の範囲】
【請求項１】
市中導管を通して送られるガスの契約者ガス要求量と、上記市中導管へ払出して契約者へ供給している払出ガス量の積算量とを、或る期間単位で管理して偏差が生じると、その偏差をその期間内で解消するに必要なガス量の瞬時値を求めて、その信号を、契約者ガス要求量の信号に加え、払出ガス量を制御させるようにすることを特徴とするガス託送における払出ガス量制御方法。
【請求項２】
或る期間を１時間とし、契約者ガス要求量の１時間積算量と市中導管払出ガス量の１時間積算量とを比較し、偏差があると、その偏差を１時間内の残り時間内で解消するに必要なガス量の瞬時値を求めて、その信号を契約者ガス要求量の信号に加えるようにする請求項１記載のガス託送における払出ガス量制御方法。
【請求項３】
或る期間を長期間とし、１日に１回、１日毎の偏差が積算されて送られて来る当日までの偏差積算量を１日の調整量として解消するに必要なガス量とする補正信号を求め、該補正信号を、１時間毎の偏差を残り時間で解消する瞬時量の信号に加えてから契約者ガス要求量の信号に加えるようにし、且つ上記当日までの偏差積算量の補正信号により調整された払出ガス量に基づく市中導管払出ガス量の１時間積算量から上記当日までの偏差積算量の補正信号を引いて払出すようにする請求項２記載のガス託送における払出ガス量制御方法。
【請求項４】
当日までの偏差積算量の補正信号をリミッタで制限させるようにする請求項３記載のガス託送における払出ガス量制御方法。
【発明の詳細な説明】
【０００１】
【発明の属する技術分野】
本発明は新規ガス事業者が既往のガス事業者に委託して契約者にガスを輸送するガス託送において、契約者ガス要求量と払出ガス量を或る期間単位で管理して偏差が生じたときにその偏差を解消するためのガス託送における払出ガス量制御方法に関するものである。
【０００２】
【従来の技術】
最近、ガス事業の自由化に伴い既往のガス事業者以外の者が新規にガス事業を開始することができるようになった。これに伴い新規にガス事業を始めようとする新規ガス事業者は、自己の保有する天然ガスを利用した１３Ａガス（ＮＧ＋ＬＰＧ）を、契約者（顧客）の要求量に応じて市中導管に払出すことができるが、新規ガス事業者は、契約者へガスを送るための市中導管を独自に持っているわけではないため、市中導管の接続先である既往のガス事業者に委託し、該既往のガス事業者の管理する市中導管に新規ガス事業者が必要量のガスを払出すことにより各契約者へガスが送られるというガス託送方法が採られている。
【０００３】
そのため、既往のガス事業者と新規ガス事業者との間では、所定の時間や期間を定めて、その時間や期間単位の管理において契約者のガス要求量（使用量）合計量（積算量）に対し市中導管に払出す新規ガス事業者の払出ガス量の積算量が少なかったり、多かったりの偏差の契約者ガス要求量の許容範囲（たとえば±１０％以内）を定め、上記契約者ガス要求量の或る時間又は期間の積算量と払出ガス量の或る時間又は期間の積算量の偏差が許容範囲を超えると、超えた分に相応する金額を、ペナルティとして新規ガス事業者が市中導管接続先のガス事業者に支払うという契約を交すことが行われている。
【０００４】
かかる新規ガス事業者と市中導管接続先のガス事業者との契約内容から、新規ガス事業者は出来るだけ上記の偏差を小さく抑えるようにすることで無駄な出費を防ぐことができるのであるが、契約者ガス要求量に対する市中導管への払出ガス量は、時分の経過とともに、又、回数の経過とともに偏差が積算されるため、或る時間後とか或る期間後には、偏差が積算されて大きな偏差積算量となっている。
【０００５】
従来、かかる契約者ガス要求量と市中導管に払出して契約者へ送るガス量の所定時間又は期間単位での管理において生じた偏差を解消させるようにするための払出ガス量の制御方法としては、契約者の使用しているガス要求量に相応するガス流量を市中導管に払出すようにし、払出されたガス量と契約者ガス要求量の偏差をＰＩＤ演算させるフィードバック制御のみであった。
【０００６】
因に、ガス託送ではないが、部分燃焼式ガス改質炉の蒸気流量制御方法として、該改質炉へ供給される蒸気量が必要蒸気量に等しくなるように、蒸気導管内を介して改質炉へ供給される蒸気流量を制御するようにしたものがある（たとえば、特許文献１参照）。
【０００７】
【特許文献１】
特開昭５５−２７３５９号公報
【０００８】
【発明が解決しようとする課題】
ところが、上記従来の制御方法では、契約者ガス要求量が一定（不動）の場合は、払出ガス量を一定にすることにより両者の差を小さく抑えることができるが、過渡期等ではオーバーシュート分やアンダーシュート分の偏差量がそのまま残ることになり、偏差を解消することができないという問題があり、又、たとえば、１時間単位でガス要求量と払出ガス量の偏差を解消しようとしても、１時間内の払出ガス量の積算値とガス要求量の積算値との差を求めて、その差を解消するようにはなっていないので、１時間単位で偏差を補正するということもできなかった。
【０００９】
又、上記特許文献１に開示されているものは、部分燃焼式ガス改質炉へ供給される蒸気量が必要要求量と同等になるように該改質炉へ供給される蒸気流量を制御するもので、必要とされる蒸気量と供給される蒸気量を等しくなるようにすることはできるが、或る時間や期間単位で管理して偏差が生じたときに、その偏差を解消するものではない。
【００１０】
そこで、本発明は、契約者ガス要求量と払出ガス量を或る時間や期間単位で管理して偏差が生じた場合に、その時間や期間内で偏差を解消して新規ガス事業者がペナルティとして料金を支払うことがないようにしようとするものである。
【００１１】
【課題を解決するための手段】
本発明は、上記課題を解決するために、市中導管を通して送られるガスの契約者ガス要求量と、上記市中導管へ払出して契約者へ供給している払出ガス量とを、或る期間単位で管理して偏差が生じると、その偏差をその期間内で解消するに必要なガス量とする補正信号を求めて、該補正信号を、契約者ガス要求量の信号に加え、払出ガス量を制御させるようにする。又、或る期間を１時間とし、契約者ガス要求量の１時間積算量と市中導管払出ガス量の１時間積算量とを比較し、偏差があると、その偏差を１時間内の残り時間内で解消するに必要なガス量とする補正信号を求めるようにして契約者ガス要求量の信号に加えるようにする。更に、或る期間を長期間とし、１日に１回、１日毎の偏差が積算されて送られて来る当日までの偏差積算量を１日の調整量として解消するに必要なガス量とする補正信号を求め、該補正信号を、上記１時間内の残り時間で解消する瞬時量の信号に加えて契約者ガス要求量の信号に加えるようにし、且つ上記当日までの偏差積算量の補正信号により調整された払出ガス量に基づく市中導管払出ガス量の１時間積算量から上記当日までの偏差積算量の信号を差引いて払出すようにして、上記当日までの偏差積算量が１時間偏差補正演算で打ち消されることがないようにする。
【００１２】
或る期間、たとえば、１時間単位で管理する場合の偏差量が少なくなり、契約者ガス要求量に対する過不足するガス流量をペナルティ許容範囲内にすることができる。
【００１３】
長期間単位での管理においても、累積された偏差量を１日の調整量として補正して行くことにより、１日単位の偏差量が少なくなって、結果的に長期間毎の過不足ガス量が少なくなるか、又は無くすことができる。
【００１４】
長期間単位での管理において、当日までの偏差積算量の補正信号を、リミッタで制限させるようにすることにより、上記補正信号を１時間偏差補正信号に加えても、契約者ガス要求量のペナルティ許容範囲内とすることができる。
【００１５】
【発明の実施の形態】
以下、本発明の実施の形態を図面を参照して説明する。
【００１６】
図１は本発明の実施の一形態の基本構成を示す制御回路の概要を示すもので、１は契約者ガス要求量を瞬時換算する契約者ガス要求量、２は契約者が現在使用しているガス量としてのガス要求量の信号、３は払出ガス流量を実行する払出制御部で、後述する契約者ガス要求量の時間積算量と払出ガス量の時間積算量との差をその時間内の残り時間で解消する量として瞬時換算した量（以下、瞬時量という。）の信号を加算部９で上記契約者ガス要求量１の信号２に加えて、その信号９ａを設定値として比較部６に送り、市中導管４より契約者に送られているガス量を流量計５で検出して、その流量信号５ａと上記設定値とを比較部６で比較した後、ＰＩＤ演算部７からの指令により市中導管４の途中の流量調整弁７を調整させるようにして払出ガス量を制御するようにするものであり、或る期間単位で管理するときの契約者ガス使用量（契約者ガス要求量）の積算量と市中導管４への払出ガス量の流量信号５ａによる当該期間の積算量との偏差をなくして、契約者ガス要求量に対し同時に同量のガスが払出されて契約者へ送られるようにするために、或る期間内における偏差の積算量を、当該或る期間内で解消させるに必要な流量のガスを払出すように払出ガス量を制御させるようにする。
【００１７】
今、一例として、上記の或る期間を、１時間として管理する場合について説明する。
【００１８】
契約者ガス要求量の１時間積算量（合計量）１０を求め、市中導管払出ガス量の１時間積算量（合計量）１１を、市中導管払出ガス量の流量信号５ａで求め、上記契約者ガス要求量の１時間積算量１０の積算流量信号１０ａと市中導管払出ガス量の１時間積算量１１の積算流量信号１１ａとを比較して差があると、その差を１時間の残り時間内で解消するために必要なガス流量を求める演算を行い、求められた必要なガス流量の信号を契約者ガス要求量の信号２に加えて払出ガス量を制御し、契約者ガス要求量の偏差の許容範囲、すなわち、乖離率〔契約者ガス要求量の１時間積算量／市中導管払出ガス量の１時間積算量×１００−１００〕％が、所要の値、たとえば、１０％以内となるようにする。
【００１９】
詳述すると、ガス事業者の託送計算機から送信されて来るところの、契約者が１時間で使用するガス使用量の合計である契約者ガス要求量の１時間積算量１０の積算流量信号１０ａと、払出ガス量の流量信号５ａにより求められる現在市中導管へ払出されて契約者へ送られているガス量の１時間積算量１１の積算流量信号１１ａを比較部１２に入れて比較するようにし、該比較部１２で比較されて差があると、その差ａを補正演算部１３へ入力させるようにすると共に、正時からの経過時間をタイマー（図示せず）で求めることにより１時間の残り時間（正時までの残り時間）値１４を求めて上記補正演算部１３へ入力するようにし、補正演算部１３において、正時までの残り時間値１４で上記比較部１２で求められた偏差ａを解消させるに必要なガス流量の瞬時量ｂを求め、これを補正信号１３ａとして出力させ、前記した契約者の現在の使用量（契約者ガス要求量）の信号２に加算部９で加算させて今払出すべき量の信号９ａとして払出制御部３へ入力させる。払出制御部３では、その信号９ａを設定値として、比較部６にて、払出ガス量の流量信号５ａをフィードバックして比較した後、ＰＩＤ演算部７からの指令で市中導管４の流量調整弁８を調整させて払出ガス量を今払出すべき量となるように制御させるようにする。
【００２０】
契約者がガスを使用し始めてから所定時間が経過したときの契約者ガス要求量の積算量１０の積算流量信号１０ａと市中導管への払出ガス量の積算量１１の積算流量信号１１ａは比較部１２にて比較される。その結果、契約者ガス要求量の積算流量に対して払出ガス量の積算流量の方が少なかったり、多かったりの差があると、その偏差ａは補正演算部１３へ送られ、正時までの残り時間で上記の偏差ａを解消するのに必要なガス量が瞬時換算され、この瞬時値ｂを補正信号１３ａとして契約者ガス要求量の信号２に加えるようにする。たとえば、正時から３０分経過後に、契約者ガス要求量合計量（積算量）に対して払出ガス量合計量（積算量）が少ない場合は、１時間の残り３０分で不足分の偏差を解消するために必要なガス量の瞬時量ｂを求めて、払出制御部３にて今払出すべき量を基にして、払出ガス量を多くするよう流量制御を行い、１時間毎に契約者ガス要求量と同量のガスが市中導管に払出されるようにする。これにより、契約者のガス要求量と市中導管へ払出すガス量との偏差（乖離率）を許容範囲内、たとえば、±１０％以内に調整することができ、１時間毎のバックアップ／パーキングのペナルティを避けることが可能となる。
【００２１】
なお、上記１時間毎の偏差を契約者ガス要求量の±１０％以内をペナルティ許容範囲とするときは、偏差（乖離率）が、たとえば、±８％以上になると警報を発するようにしてもよい。
【００２２】
上記のように１時間単位で偏差を補正すると、偏差がほとんどない状態にできて、契約者ガス要求量とほぼ同量のガス流量を払出すことが可能となるが、１日や１ヶ月の長い単位で見ると、ガス設備の起動、停止等により誤差が出て累積され、四半期（３ヶ月）単位で見ると、３ヶ月後の払出ガス量の偏差が大きくなってガス事業者への清算対象となる許容範囲を超えることになる。
【００２３】
このような場合でも、３ヶ月間の払出ガス量偏差が許容範囲内になるようにするため、市中導管の接続先であるガス事業者から１日に１回、１日ずつの偏差を積算した偏差積算量が送信されて来ると、この１日１回送られて来る当日までの偏差積算量を、１日分の調整量として１日で解消するに必要なガス流量に換算して、当日までの偏差積算量１５とし、その補正信号１６を、たとえば、１０秒毎に前記の１時間内の偏差を残り時間で解消する瞬時値ｂに加えて行き、更に、これを契約者ガス要求量１の信号２に加えて、この信号９ａを設定値として払出制御部３の比較部６に送り、ここで市中導管４に払出されているガス流量の信号５ａと比較させて偏差があると、ＰＩＤ演算部７からの指令により流量調整弁８を調整させることにより、市中導管４への払出ガス量を調整して少しずつ当日までの偏差積算量が解消されて行くようにし、これにより３ヶ月単位で管理する場合の偏差を小さくすることができるようにする。
【００２４】
この状態では、長期管理における当日までの偏差積算量１５による補正に伴い調整された市中導管払出ガス量の流量信号５ａにより、市中導管払出ガス量の１時間積算量１１は、上記当日までの偏差積算量による補正分を含んでいるため、このまま当日までの偏差積算量１５の補正信号１６を、補正演算部１３からの１時間毎の偏差を残り時間で解消する瞬時量ｂに加えるようにしたのでは、該当日までの偏差積算量１５を外乱と判断して、１時間の偏差補正で打ち消してしまい、当日までの偏差積算量１５の補正信号１６により補正を加えているにも拘らずその機能が無意味なものになってしまうということがある。そこで、かかる事態を事前に避けるために、当日までの偏差積算量補正の１時間積算したものを市中導管払出ガス量の１時間積算量１１から引くようにする１時間偏差補正値調整回路１７を設け、市中導管払出ガス量をガス要求量より多く出してやるようにする。
【００２５】
上記当日までの偏差積算量１５の補正信号１６は、乖離率が、たとえば、１０％を超えないα％未満となるようなリミッタ１８で制限をかけ、バックアップ／パーキングのペナルティを避けるようにする。
【００２６】
今、たとえば、７月、８月、９月の３ヶ月を単位として管理する場合は、７月１日にガス事業者から送られて来る偏差は零であるが、７月２日に送られて来る偏差は、７月１日の１日分の偏差積算量であり、７月３日には、７月１日と２日の２日間の累計の偏差量が送られて来るというように、順次１日に１回、９月末日まで偏差積算量が送られて来ることになり、９月末日では、７月１日から累計された偏差量が送られて来る。このように、１日ずつ積算されて毎日送られて来る偏差積算量（当日までの偏差積算量１５）を１日毎に１日分の偏差としてとらえて解消するに必要なガス量に換算した補正信号１６を１時間毎の偏差を残り時間で解消する瞬時値ｂに加えてから契約者ガス要求量１の信号２に加えて、これを設定値として払出ガス量を調整することにより少しずつ偏差を解消させるようにする。この際、上記当日までの偏差積算量の補正信号１６を加えて払出ガス量を調整することにより、市中導管払出ガス量の１時間偏差積算量１１は上記補正信号１６による補正分を含んでいるが、１時間偏差補正値調整回路１７が設けてあるので、上記補正信号１６が加えられても、これが外乱と判断されて打ち消されるようなことはない。
【００２７】
このように３ヶ月の長期に亘っていても、１日毎に偏差を解消して行くことにより、１日単位の偏差量は少なくなり、結果的に３ヶ月毎の払出ガス量の過不足を少なくするか、若しくは無くすることもでき、ペナルティとして過不足ガス量に対する清算を最小限に抑えるか、若しくは清算をしなくてすむようにすることができる。
【００２８】
なお、本発明は上記実施の形態に限定されるものではなく、たとえば、１時間偏差補正値調整回路１７を市中導管払出ガス量の１時間積算量の積算流量信号１１ａに接続した場合を示したが、契約者ガス要求量の１時間積算量の積算流量信号１０ａに接続して、契約者ガス要求量積算量に長期偏差積算量補正の１時間換算したものを加えるようにしてもよいこと、その他本発明の要旨を逸脱しない範囲内において種々変更を加え得ることは勿論である。
【００２９】
【発明の効果】
以上述べた如く、本発明のガス託送における払出ガス量制御方法によれば、市中導管を通して送られるガスの契約者ガス要求量と、上記市中導管へ払出して契約者へ供給している払出ガス量の積算量とを、或る期間単位で管理して偏差が生じると、その偏差をその期間内で解消するに必要なガス量の瞬時値を求めて、その信号を、契約者ガス要求量の信号に加え、払出ガス量を制御させるようにし、又、上記或る期間を１時間としたときは、契約者ガス要求量の１時間積算量と市中導管払出ガス量の１時間積算量とを比較し、偏差があると、その偏差を１時間の残り時間内で解消するに必要なガス量の瞬時量を求めて、その信号を契約者ガス要求量の信号に加えて設定値とするようにするので、１時間単位での管理においては、契約者ガス要求量合計値と払出ガス量合計値との差があると、その差を１時間の残り時間で解消するに必要なガス量を市中導管へ払出すようにすることから、１時間単位で偏差を少なくするか若しくは無くすることができて、契約者ガス要求量に対して過不足を生じさせることがなく、新規ガス事業者がガス事業者に支払うペナルティをなくすことができる。
【００３０】
又、或る期間を３ヶ月の如き長期での管理においては、１日に１回、１日毎の偏差が積算されて送られて来る当日までの偏差積算量を１日の調整量として解消するに必要なガス量とする補正信号を求め、該補正信号を、１時間毎の偏差を残り時間で解消する瞬時量の信号に加えてから契約者ガス要求量の信号に加えて設定値として払出ガス量を制御するようにし、且つ該当日までの偏差積算量の補正信号により調整された払出ガス量に基づく市中導管払出ガス量の１時間積算量から上記当日までの偏差積算量の補正信号を引いて払出すようにして、当日までの偏差積算量を一日毎に確実に解消して行くことから、１日単位の偏差量が少なくなり、結果的に３ヶ月毎の過不足ガス量が少なくなるか、若しくは無くなり、したがって、過不足ガス量に応じてペナルティとしての清算をしなくてよいか又は最小限に止めることができる、等の優れた効果を奏し得る。
【図面の簡単な説明】
【図１】本発明の実施の形態を示す制御回路図である。
【符号の説明】
１  契約者ガス要求量
２  契約者ガス要求量の信号
３  払出制御部
５  払出ガス量の流量計
５ａ  流量信号
９ａ  信号
１０  契約者ガス要求量の１時間積算量
１０ａ  契約者ガス要求量の１時間積算量の信号
１１  市中導管払出ガス量積算量
１１ａ  市中導管払出ガス量積算量の信号
１２  比較部
１３  補正演算部
１３ａ  補正信号
１５  当日までの偏差積算量
１６  当日までの偏差積算量の補正信号
１７  １時間偏差補正値調整回路
１８  リミッタ
ａ  偏差
ｂ  残り時間で解消する瞬時量
【図１】
2004178478.tif 000003